(57)【要約】      （修正有）【課題】目標地点一帯を広域に制圧可能な飛翔体及び飛翔体の展開方法を提供する。【解決手段】２４個の弾頭部３は、起爆部７を中心として放射状に広がる。各弾頭部３は、線状部材４に固定されるとともに、導爆線８に連結されている。最内周において４個の弾頭部３が周方向に並び、それらの外側に８個の弾頭部３が周方向に並び、さらにそれらの外側に１２個の弾頭部３が並んでいる。各弾頭部３の位置は、着弾時に衝撃波が到達する範囲を考慮して適宜変更される。【選択図】図４
2017227348.tif 000002
【特許請求の範囲】
【請求項１】
弾殻と、
前記弾殻内に収容される複数の弾頭部と、
前記複数の弾頭部を放射状に連結する線状部材と、
を備える飛翔体。
【請求項２】
前記線状部材は、網状に形成されている、
請求項１に記載の飛翔体。
【請求項３】
前記弾殻内に収容される起爆部と、
前記起爆部と前記複数の弾頭部とを連結する導爆線と、
を備える請求項１又は２に記載の飛翔体。
【請求項４】
前記起爆部は、前記線状部材が展開した状態において、前記線状部材の中央に位置するように配置されている、
請求項３に記載の飛翔体。
【請求項５】
前記導爆線は、前記線状部材に沿って配置されている、
請求項３又は４に記載の飛翔体。
【請求項６】
前記起爆部に連結される減速装置を備える、
請求項３乃至５のいずれかに記載の飛翔体。
【請求項７】
前記減速装置は、バルーン又はパラシュートである、
請求項６に記載の飛翔体。
【請求項８】
前記弾殻を複数の弾殻小片に分離させるための弾殻分離装置を備える、
請求項１乃至７のいずれかに記載の飛翔体。
【請求項９】
前記線状部材は、前記複数の弾殻小片それぞれに連結されている、
請求項１乃至８のいずれかに記載の飛翔体。
【請求項１０】
前記弾殻分離装置は、伝爆部と、前記弾殻の内周面に取り付けられる複数本の成形爆薬線とを有し、
前記複数本の成形爆薬線は、前記弾殻の中心軸周りに略等間隔に配置されている、
請求項８又は９に記載の飛翔体。
【請求項１１】
前記弾殻に取り付けられる時限信管を備え、
前記伝爆部は、前記時限信管の爆発に応じて起爆可能であり、
前記複数本の成形爆薬線は、前記伝爆部の爆発に応じて起爆可能である、
請求項１０に記載の飛翔体。
【請求項１２】
前記複数の弾頭部は、前記弾殻の中心軸に沿って配置される複数の弾頭部列を形成し、
前記複数の弾頭部列は、前記弾殻の中心軸周りに配置されている、
請求項１乃至１１のいずれかに記載の飛翔体。
【請求項１３】
前記複数の弾頭部のうち少なくとも１つの弾頭部は、
収容体と、
前記収容体内に配置される火薬と、
前記収容体に取り付けられる金属製ライナと、
を有する、
請求項１乃至１２のいずれかに記載の飛翔体。
【請求項１４】
前記少なくとも１つの弾頭部は、前記収容体内に配置される複数の弾子を有する、
請求項１３に記載の飛翔体。
【請求項１５】
前記弾殻に取り付けられる時限信管と、
前記弾殻内に収容される起爆部と、
前記起爆部に連結される減速装置と、
を備え、
前記時限信管、前記複数の弾頭部、前記起爆部及び前記減速装置は、前記弾殻の前方から順に配置されている、
請求項１に記載の飛翔体。
【請求項１６】
高速旋回しながら飛翔する飛翔体の展開方法であって、
複数の弾頭部を収容する弾殻を複数の弾殻小片に分離させる工程と、
前記複数の弾頭部と前記複数の弾殻小片とを連結する線状部材を放射状に広げる工程と、
を備える飛翔体の展開方法。
【発明の詳細な説明】
【技術分野】
【０００１】
本発明は、飛翔体に関する。
【背景技術】
【０００２】
従来、飛翔体の一種として、目標地点に向かって高速旋回しながら飛翔する砲弾が知られている（例えば、特許文献１参照）。
【先行技術文献】
【特許文献】
【０００３】
【特許文献１】特開平０９−１５９３９８号公報
【発明の概要】
【発明が解決しようとする課題】
【０００４】
しかしながら、従来の砲弾では、目標地点における制圧範囲が狭いため、目標地点一帯を広域に制圧可能な飛翔体の開発が望まれている。
【０００５】
本発明は、目標地点一帯を広域に制圧可能な飛翔体及び飛翔体の展開方法を提供することを目的とする。
【課題を解決するための手段】
【０００６】
本発明の第１の態様に係る飛翔体は、弾殻と、弾殻内に収容される複数の弾頭部と、複数の弾頭部を放射状に連結する線状部材とを備える。
【０００７】
本発明の第１の態様に係る飛翔体によれば、線状部材に放射状に連結された各弾頭部によって目標物を破壊するとともに、線状部材によって目標物周辺の物体を拘束することができる。その結果、目標地点一帯を広域に制圧することができる。
【０００８】
本発明の第２の態様に係る飛翔体は、第１の態様に係り、線状部材は、網状に形成されている。
【０００９】
本発明の第２の態様に係る飛翔体によれば、線状部材が展開した場合に、各弾頭部を適切な位置に配置することができる。
【００１０】
本発明の第３の態様に係る飛翔体は、第１又は第２の態様に係り、弾殻内に収容される起爆部と、起爆部と複数の弾頭部とを連結する導爆線とを備える。
【００１１】
本発明の第３の態様に係る飛翔体によれば、起爆部によって各弾頭部を一度に起爆することができる。
【００１２】
本発明の第４の態様に係る飛翔体は、第３の態様に係り、起爆部は、線状部材が展開した状態において、線状部材の中央に位置するように配置されている。
【００１３】
本発明の第４の態様に係る飛翔体によれば、起爆部から各弾頭部に爆轟波を均等に伝達することができる。
【００１４】
本発明の第５の態様に係る飛翔体は、第３又は第４の態様に係り、導爆線は、線状部材に沿って配置されている。
【００１５】
本発明の第５の態様に係る飛翔体によれば、導爆線を簡易に固定することができる。
【００１６】
本発明の第６の態様に係る飛翔体は、第３乃至５のいずれかの態様に係り、起爆部に連結される減速装置を備える。
【００１７】
本発明の第６の態様に係る飛翔体によれば、起爆部が他の構成部材よりも重い場合であっても、線状部材の展開姿勢を略一直線状に保持することができる。
【００１８】
本発明の第７の態様に係る飛翔体は、第６の態様に係り、減速装置は、バルーン、パラシュートである。
【００１９】
本発明の第７の態様に係る飛翔体によれば、減速装置を折り畳んで小さくした状態で弾殻に収容できるため、弾殻の内部空間を広くすることができる。
【００２０】
本発明の第８の態様に係る飛翔体は、第１乃至７のいずれかの態様に係り、弾殻を複数の弾殻小片に分離させるための弾殻分離装置を備える。
【００２１】
本発明の第８の態様に係る飛翔体によれば、弾殻を複数の弾殻小片に簡便に分離することができる。
【００２２】
本発明の第９の態様に係る飛翔体は、第１乃至８のいずれかの態様に係り、線状部材は、複数の弾殻小片それぞれに連結されている。
【００２３】
本発明の第９の態様に係る飛翔体によれば、各弾殻小片にかかる遠心力によって線状部材を一様に展開させることができる。
【００２４】
本発明の第１０の態様に係る飛翔体は、第８又は９の態様に係り、弾殻分離装置は、伝爆部と、弾殻の内周面に取り付けられる複数本の成形爆薬線とを有する。複数本の成形爆薬線は、弾殻の中心軸周りに略等間隔に配置されている。
【００２５】
本発明の第１０の態様に係る飛翔体によれば、各弾殻小片のサイズを略均等にできるため、線状部材をより一様に展開させることができる。
【００２６】
本発明の第１１の態様に係る飛翔体は、第１０の態様に係り、弾殻に取り付けられる時限信管を備える。伝爆部は、時限信管の爆発に応じて起爆可能である。複数本の成形爆薬線は、伝爆部の爆発に応じて起爆可能である。
【００２７】
本発明の第１１の態様に係る飛翔体によれば、時限信管によって各成形爆薬線をスムーズに起爆させることができる。
【００２８】
本発明の第１２の態様に係る飛翔体は、第１乃至１１のいずれかの態様に係り、複数の弾頭部は、弾殻の中心軸に沿って配置される複数の弾頭部列を形成する。複数の弾頭部列は、弾殻の中心軸周りに配置されている。
【００２９】
本発明の第１２の態様に係る飛翔体によれば、複数の弾頭部を弾殻の内部にコンパクトに収容することができる。
【００３０】
本発明の第１３の態様に係る飛翔体は、第１乃至１２のいずれかの態様に係り、複数の弾頭部のうち少なくとも１つの弾頭部は、収容体と、収容体内に配置される火薬と、収容体に取り付けられる金属製ライナとを有する。
【００３１】
本発明の第１３の態様に係る飛翔体によれば、火薬の衝撃波によって金属ライナをメタルジェット化させることができるため、各弾頭部の破壊力を向上させることができる。
【００３２】
本発明の第１４の態様に係る飛翔体は、第１３の態様に係り、少なくとも１つの弾頭部は、収容体内に配置される複数の弾子を有する。
【００３３】
本発明の第１４の態様に係る飛翔体によれば、火薬の衝撃波によって各弾子を飛散させることができるため、各弾頭部の破壊力をより向上させることができる。
【００３４】
本発明の第１５の態様に係る飛翔体は、第１の態様に係り、弾殻に取り付けられる時限信管と、弾殻内に収容される起爆部と、起爆部に連結される減速装置とを備える。時限信管、複数の弾頭部、起爆部及び減速装置は、弾殻の前方から順に配置されている。
【００３５】
本発明の第１５の態様に係る飛翔体によれば、時限信管、複数の弾頭部、起爆部及び減速装置をコンパクトに纏めて配置することができる。
【００３６】
本発明の第１６の態様に係る飛翔体の展開方法は、複数の弾頭部を収容する弾殻を複数の弾殻小片に分離させる工程と、複数の弾頭部と複数の弾殻小片とを連結する線状部材を放射状に広げる工程とを備える。
【００３７】
本発明の第１６の態様に係る飛翔体の展開方法によれば、線状部材を放射状に展開することによって、線状部材に連結された各弾頭部をスムーズに放射状に広げることができる。
【発明の効果】
【００３８】
本発明によれば、目標地点一帯を広域に制圧可能な飛翔体及び飛翔体の展開方法を提供することができる。
【図面の簡単な説明】
【００３９】
【図１】砲弾の発射から着弾までの軌道を示す模式図
【図２】砲弾の構成を示す断面図
【図３】図２のＡ−Ａ断面図
【図４】砲弾の展開体を平面視した図
【図５】砲弾の展開体を側面視した図
【図６】弾頭部の内部構造を示す断面図
【図７】砲弾の変形シーケンスを説明するための図
【図８】砲弾の変形シーケンスを説明するための図
【図９】砲弾の変形シーケンスを説明するための図
【発明を実施するための形態】
【００４０】
本実施形態では、高速旋回しながら飛翔する飛翔体の一例である砲弾１について説明する。以下の説明において、“前”及び“後”は、飛翔する砲弾１の飛翔方向を基準とする用語であり、“内”及び“外“は、砲弾１の中心軸ＡＸを基準とする用語である。
【００４１】
（砲弾１の軌道）
図１は、砲弾１の発射から着弾までの軌道を示す模式図である。
【００４２】
砲弾１は、弾殻２、複数の弾頭部３、線状部材４及び時限信管５を備える。複数の弾頭部３と線状部材４は、弾殻２に収容される。時限信管５は弾殻２の前端部に取り付けられる。
【００４３】
砲弾１は、発射されると中心軸ＡＸを中心に高速旋回しながら、放物線を描くように飛翔する。時限信管５は、発射から所定時間が経過した時点で起爆する。弾殻２は、時限信管５の起爆に応じて、８枚の弾殻小片２ａに分離する。各弾殻小片２ａは、遠心力によって、中心軸ＡＸを中心として放射状に飛散する。各弾殻小片２ａが飛散すると、各弾殻小片２ａに連結された線状部材４が放射状に展開して、線状部材４に連結された各弾頭部３が放射状に広がる。このように、砲弾１は、円盤状の展開体１ａへと変形した状態で目標地点に到達する。
【００４４】
その結果、各弾頭部３を目標物に着弾させるとともに、線状部材４によって目標物周辺の物体を拘束できるため、目標地点一帯（例えば、数十ｍ〜数百ｍの範囲）を広域に制圧することができる。
【００４５】
（砲弾１の構成）
図２は、砲弾１の構成を示す断面図である。図３は、図２のＡ−Ａ断面図である。図４は、砲弾１の展開体１ａを平面視した図である。図５は、砲弾１の展開体１ａを側面視した図である。
【００４６】
砲弾１は、弾殻２、２４個の弾頭部３、線状部材４、時限信管５、弾殻分離装置６、起爆部７、導爆線８及び減速装置９を備える。本実施形態において、時限信管５、２４個の弾頭部３、起爆部７及び減速装置９は、弾殻２の前方から順に配置されている。
【００４７】
（１）弾殻２
弾殻２は、中空円筒状に形成される。弾殻２は、砲弾１の中心軸ＡＸに沿って延びる。弾殻２の中心軸は、砲弾１の中心軸ＡＸに一致する。弾殻２は、内部に収容空間２Ｓを有する。
【００４８】
弾殻２には、弾殻分離装置６が取り付けられる。弾殻分離装置６は、伝爆部６１と８本の成形爆薬線６２とを有する。
【００４９】
伝爆部６１は、時限信管５の後方に配置される。伝爆部６１は、時限信管５の爆発に応じて起爆する。
【００５０】
８本の成形爆薬線６２は、弾殻２の内周面に取り付けられる。各成形爆薬線６２は、前後方向に延びる。各成形爆薬線６２は、中心軸AX周りに略等間隔に配置される。各成形爆薬線６２は、ＬＳＣ（Ｌｉｎｅａｒ  Ｓｈａｐｅｄ  Ｃｈａｒｇｅ）と呼ばれる成形爆薬である。
【００５１】
本実施形態において、各成形爆薬線６２は、図３に示すように、弾殻２の内周面に形成された縦溝２１内に配置されている。各成形爆薬線６２は、収容体６２ａと炸薬６２ｂとを有する。収容体６２ａは、金属材料によって構成される中空体である。収容体６２ａは、炸薬６２ｂを収容する。収容体６２ａには、前後方向に延びるＶ溝６３が形成される。Ｖ溝６３は、弾殻２の内面（縦溝２１の底面）と対向する。各成形爆薬線６２の炸薬６２ｂは、伝爆部６１の爆発に応じて起爆する。炸薬６２ｂが爆発すると、収容体６２ａのＶ溝６３は、モンロー・ノイマン効果によりメタルジェット化して外側に飛び出す。これによって、弾殻２が前後方向に沿って切断されて、８枚の弾殻小片２ａに分離する。
【００５２】
８枚の弾殻小片２ａは、図４及び図５に示すように、砲弾１が展開体１ａに変形した場合、展開体１ａの最外周において略均等に配置される。ただし、８枚の弾殻小片２ａには遠心力だけでなく空気抵抗もかかるため、８枚の弾殻小片２ａの位置はずれることがある。
【００５３】
（２）弾頭部３
２４個の弾頭部３は、図２及び図３に示すように、弾殻２の収容空間２Ｓに収容される。２４個の弾頭部３は、３列の弾頭部列３ａに分けられている。各弾頭部列３ａは、前後方向に延びる。各弾頭部列３ａは、中心軸ＡＸに沿って配置される。各弾頭部列３ａは、中心軸ＡＸ周りに等間隔に配置される。各弾頭部列３ａには、８個の弾頭部３が含まれる。ただし、弾頭部列３ａの列数及び弾頭部列３ａに含まれる弾頭部３の個数は適宜変更可能である。
【００５４】
２４個の弾頭部３は、図４及び図５に示すように、砲弾１が展開体１ａに変形した場合、起爆部７を中心として放射状に広がる。各弾頭部３は、線状部材４に固定されるとともに、導爆線８に連結されている。本実施形態では、最内周において４個の弾頭部３が周方向に並び、それらの外側に８個の弾頭部３が周方向に並び、さらにそれらの外側に１２個の弾頭部３が並んでいる。各弾頭部３の位置は、着弾時に衝撃波が到達する範囲を考慮して適宜変更可能である。
【００５５】
ここで、図６は、弾頭部３の内部構造を示す断面図である。弾頭部３は、収容体３１、火薬３２、金属ライナ３３及び複数の弾子３４を有する。
【００５６】
収容体３１は、開口部を有する有底コップ状に形成される。収容体３１の底部には、挿通孔３１ａと凹部３１ｂが形成されている。挿通孔３１ａには、導爆線８の先端部が挿通される。凹部３１ｂは、挿通孔３１ａに連なる。火薬３２は、伝爆薬３２ａと炸薬３２ｂを有する。伝爆薬３２ａは、収容体３１の凹部３１ｂに充填され、導爆線８に接続される。炸薬３２ｂは、収容体３１の内部に充填される。
【００５７】
金属ライナ３３は、収容体３１の開口部を塞ぐように取り付けられる。金属ライナ３３は、収容体３１の内部に向かってＶ状に形成される。金属ライナ３３は、中空の円錐体である。金属ライナ３３は、金属材料によって構成される。複数の弾子３４は、収容体３１の内周面上に配列される。複数の弾子３４の内側には、炸薬３２ｂが充填されている。
【００５８】
導爆線８を介して伝達される爆轟波によって伝爆薬３２ａ及び炸薬３２ｂが順次起爆すると、その衝撃波によって、金属ライナ３３がモンロー・ノイマン効果によりメタルジェット化して飛び出すとともに、複数の弾子３４が周辺に飛散する。
【００５９】
（３）線状部材４
線状部材４は、図２及び図３に示すように、収容体３１の収容空間２Ｓに収容される。線状部材４は、３列の弾頭部列３ａの隙間に配置される。線状部材４は、弾殻２のうち８枚の弾殻小片２ａそれぞれに対応する部分に連結されている。線状部材４は、２４個の弾頭部３と起爆部７に連結されている。
【００６０】
線状部材４は、図４及び図５に示すように、砲弾１が展開体１ａに変形した場合、放射状に展開する。本実施形態において、線状部材４は、縦糸と横糸とが組み合わさった円形網状に形成されている。ただし、線状部材４は、矩形及び多角形などの網状であってもよいし、縦糸だけによって構成される単純な放射状であってもよい。線状部材４は、８枚の弾殻小片２ａにかかる遠心力と空気抵抗に耐えるだけの強度を有する繊維材料によって構成される。このような繊維材料としては、アラミド繊維及びカーボン繊維が挙げられるが、これに限られるものではない。
【００６１】
（４）時限信管５
時限信管５は、図２に示すように、弾殻分離装置６の前方において弾殻２に取り付けられる。時限信管５は、砲弾１の発射から所定時間経過後に起爆するように設定可能である。時限信管５には、雷管を有する周知の時限信管を用いることができる。
【００６２】
（５）起爆部７
起爆部７は、図２に示すように、２４個の弾頭部３の後方において弾殻２に収容される。起爆部７は、線状部材４に連結される。起爆部７は、図４及び図５に示すように、砲弾１が展開体１ａに変形した場合、線状部材４の中央に位置する。起爆部７は、２４個の弾頭部３の中央に位置する。ただし、起爆部７の位置は、各弾頭部３との位置関係を考慮して適宜変更可能である。
【００６３】
起爆部７の内部には、火薬が充填されている。起爆部７は、着弾時の慣性力により撃針を火薬に刺突させることで火薬が起爆するように構成されている。起爆部７が起爆すると、その爆轟波が導爆線８を介して２４個の弾頭部３に伝達される。
【００６４】
（６）導爆線８
導爆線８は、図２及び図３に示すように、収容体３１の収容空間２Ｓに収容される。導爆線８は、線状部材４とともに、３列の弾頭部列３ａの隙間に配置される。導爆線８は、起爆部７と各弾頭部３とに連結される。導爆線８は、線状部材４に沿って配置される。“線状部材４に沿って配置される”とは、導爆線８が線状部材４の外側に近接して配置される場合だけでなく、導爆線８が線状部材４の内部に編み込まれている場合をも含む意味である。
【００６５】
導爆線８は、図４及び図５に示すように、砲弾１が展開体１ａに変形した場合、線状部材４とともに放射状に展開する。導爆線８は、起爆部７から各弾頭部３に爆轟波を伝達できるように配置されていればよく、その配置や形状は適宜変更可能である。
【００６６】
（７）減速装置９
減速装置９は、図２及び図３に示すように、起爆部７の後方において収容体３１の収容空間２Ｓに収容される。減速装置９は、起爆部７に連結される。減速装置９は、図４及び図５に示すように、砲弾１が展開体１ａに変形した場合、起爆部７の後方に配置される。減速装置９は、起爆部７に空気抵抗を与えて減速させる。これによって、図５に示すように、側面視における展開体１ａの形状を略一直線状に整えることができる。減速装置９としては、バルーン及びパラシュートなどを用いることができるが、これに限られるものではない。
【００６７】
（砲弾１の変形シーケンス）
図７〜図９は、砲弾１の変形シーケンスを説明するための図である。
【００６８】
まず、図７に示すように、砲弾１の発射から所定時間が経過すると時限信管５が起爆し、それに応じて弾殻分離装置６の伝爆部６１と各成形爆薬線６２が順次起爆する。これによって、弾殻２が８枚の弾殻小片２ａに分離する。
【００６９】
次に、図８に示すように、各弾殻小片２ａが遠心力によって放射状に飛散すると、各弾殻小片２ａに連結された線状部材４が放射状に展開するとともに、線状部材４に連結された各弾頭部３と導爆線８が放射状に広がる。これによって、砲弾１の展開体１ａへの変形が完了する。図５に示したように、線状部材４の中央に位置する起爆部７が減速装置９によって減速されるため、線状部材４の展開姿勢が略一直線状に保持される。
【００７０】
次に、図９に示すように、起爆部７が着弾して起爆すると、その爆轟波が導爆線８を介して各弾頭部３に伝達され、各弾頭部３が起爆する。この結果、各弾頭部３によって目標物が破壊されるとともに、線状部材４によって目標物周辺の物体が拘束される。
【００７１】
（特徴）
（１）砲弾１は、弾殻２と、弾殻２内に収容される２４個の弾頭部３と、弾頭部３を放射状に連結する線状部材４とを備える。
【００７２】
従って、線状部材４に放射状に連結された各弾頭部３によって目標物を破壊するとともに、線状部材４によって目標物周辺の物体を拘束することができる。その結果、目標地点一帯を広域に制圧することができる。
【００７３】
（２）線状部材４は、網状に形成されている。従って、線状部材４が展開した場合に、各弾頭部３を適切な位置に配置することができる。
【００７４】
（３）砲弾１は、弾殻２内に収容される起爆部７と、起爆部７と各弾頭部３とを連結する導爆線８とを備える。従って、起爆部７によって各弾頭部３を一度に起爆することができる。
【００７５】
（４）起爆部７は、線状部材４が展開した状態において、線状部材４の中央に位置するように配置されている。従って、起爆部７から各弾頭部３に爆轟波を均等に伝達することができる。
【００７６】
（５）導爆線８は、線状部材４に沿って配置されている。従って、導爆線８を簡易に固定することができる。
【００７７】
（６）砲弾１は、起爆部７に連結される減速装置９を備える。従って、起爆部７が他の構成部材よりも重い場合であっても、線状部材４の展開姿勢を略一直線状に保持することができる。
【００７８】
（７）減速装置９は、バルーン又はパラシュートである。従って、減速装置９を折り畳んで小さくした状態で弾殻２に収容できるため、弾殻２の収容空間２Ｓを広くすることができる。
【００７９】
（８）砲弾１は、弾殻２を８枚の弾殻小片２ａに分離させるための弾殻分離装置６を備える。従って、弾殻２を８枚の弾殻小片２ａに簡便に分離することができる。
【００８０】
（９）線状部材４は、８枚の弾殻小片２ａそれぞれに連結されている。従って、８枚の弾殻小片２ａにかかる遠心力によって線状部材４を一様に展開させることができる。
【００８１】
（１０）弾殻分離装置６は、伝爆部６１と、弾殻２の内周面に取り付けられる８本の成形爆薬線６２とを有する。８本の成形爆薬線は、弾殻２の中心軸周りに略等間隔に配置される。従って、各弾殻小片２ａのサイズを略均等にできるため、線状部材４をより一様に展開させることができる。
【００８２】
（１１）砲弾１は、弾殻２に取り付けられる時限信管５を備える。伝爆部６１は、時限信管５の爆発に応じて起爆可能であり、８本の成形爆薬線６２は、伝爆部６１の爆発に応じて起爆可能である。従って、時限信管５によって各成形爆薬線６２をスムーズに起爆させることができる。
【００８３】
（１２）２４個の弾頭部３は、中心軸ＡＸに沿って配置される３列の弾頭部列３ａを形成する。３列の弾頭部列３ａは、中心軸ＡＸ周りに配置されている。従って、２４個の弾頭部３を弾殻２の収容空間２Ｓにコンパクトに収容することができる。
【００８４】
（１３）各弾頭部３は、収容体３１と、収容体３１内に配置される火薬３２と、収容体３１に取り付けられる金属製ライナ３３とを有する。従って、火薬３２の衝撃波によって金属ライナ３３をメタルジェット化させることができるため、各弾頭部３の破壊力を向上させることができる。
【００８５】
（１４）各弾頭部３は、収容体３１内に配置される複数の弾子３４を有する。従って、火薬３２の衝撃波によって各弾子３４を飛散させることができるため、各弾頭部３の破壊力をより向上させることができる。
【００８６】
（１５）時限信管５、２４個の弾頭部３、起爆部７及び減速装置９は、弾殻２の前方から順に配置されている。従って、これらをコンパクトに纏めて配置することができる。
【００８７】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００８８】
上記実施形態において、複数の弾頭部３は、複数列の弾頭部列３ａを形成することとしたが、これに限られるものではない。複数の弾頭部３は、ランダムに配置されていてもよい。
【００８９】
上記実施形態において、各弾頭部３は、図６に示したように、金属製ライナ３３と複数の弾子３４を有することとしたが、金属製ライナ３３と複数の弾子３４の少なくとも一方を有していなくてもよい。
【００９０】
上記実施形態において、すべての弾頭部３が、図６に示す構成を有することとしたが、一部の弾頭部３だけが図６に示す構成を有していてもよい。
【００９１】
上記実施形態において、線状部材４は、弾殻２が８枚の弾殻小片２ａに分離するまで弾殻２内に配置されていることとしたが、これに限られるものではない。線状部材４は、弾殻２が８枚の弾殻小片２ａに分離する前に弾殻２から放出されてもよい。この場合には、伝爆部６１の衝撃波によって各弾頭部３、線状部材４、起爆部７、導爆線８及び減速装置９を弾殻２の後方に放出させた後に、各成形爆薬線６２が起爆するようにセッティングすればよい。
【００９２】
上記実施形態において、起爆部７は、爆轟波を各弾頭部３に伝達することとしたが、これに限られるものではない。起爆部７は、起爆信号（電気信号）を各弾頭部３に伝達してもよい。この場合には、各弾頭部３に内蔵された信管が起爆信号の入力に応じて火薬３２を起爆すればよい。
【００９３】
上記実施形態において、砲弾１は、減速装置９を備えることとしたが、これを備えていなくてもよい。
【符号の説明】
【００９４】
１        砲弾
１ａ      展開体
２        弾殻
２ａ      弾殻小片
３        弾頭部
３ａ      弾頭部列
３１      収容体
３２      火薬
３３      金属ライナ
３４      弾子
４        線状部材
５        時限信管
６        弾殻分離装置
６１      伝爆部
６２      成形爆薬線
６３      Ｖ溝
７        起爆部
８        導爆線
９        減速装置
【図１】
2017227348.tif 000003
【図２】
2017227348.tif 000004
【図３】
2017227348.tif 000005
【図４】
2017227348.tif 000006
【図５】
2017227348.tif 000007
【図６】
2017227348.tif 000008
【図７】
2017227348.tif 000009
【図８】
2017227348.tif 000010
【図９】
2017227348.tif 000011
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
弾殻と、
前記弾殻内に収容される複数の弾頭部と、
前記複数の弾頭部を放射状に連結する線状部材と、
前記弾殻内に収容される起爆部と、
前記起爆部と前記複数の弾頭部とを連結する導爆線と、
を備える飛翔体。
【請求項２】
前記線状部材は、網状に形成されている、
請求項１に記載の飛翔体。
【請求項３】
前記起爆部は、前記線状部材が展開した状態において、前記線状部材の中央に位置するように配置されている、
請求項１又は２に記載の飛翔体。
【請求項４】
前記導爆線は、前記線状部材に沿って配置されている、
請求項１乃至３のいずれかに記載の飛翔体。
【請求項５】
前記起爆部に連結される減速装置を備える、
請求項１乃至４のいずれかに記載の飛翔体。
【請求項６】
前記減速装置は、バルーン又はパラシュートである、
請求項５に記載の飛翔体。
【請求項７】
前記弾殻を複数の弾殻小片に分離させるための弾殻分離装置を備える、
請求項１乃至６のいずれかに記載の飛翔体。
【請求項８】
前記線状部材は、前記複数の弾殻小片それぞれに連結されている、
請求項７に記載の飛翔体。
【請求項９】
前記弾殻分離装置は、伝爆部と、前記弾殻の内周面に取り付けられる複数本の成形爆薬線とを有し、
前記複数本の成形爆薬線は、前記弾殻の中心軸周りに略等間隔に配置されている、
請求項７又は８に記載の飛翔体。
【請求項１０】
前記弾殻に取り付けられる時限信管を備え、
前記伝爆部は、前記時限信管の爆発に応じて起爆可能であり、
前記複数本の成形爆薬線は、前記伝爆部の爆発に応じて起爆可能である、
請求項９に記載の飛翔体。
【請求項１１】
前記複数の弾頭部は、前記弾殻の中心軸に沿って配置される複数の弾頭部列を形成し、
前記複数の弾頭部列は、前記弾殻の中心軸周りに配置されている、
請求項１乃至１０のいずれかに記載の飛翔体。
【請求項１２】
前記複数の弾頭部のうち少なくとも１つの弾頭部は、
収容体と、
前記収容体内に配置される火薬と、
前記収容体に取り付けられる金属製ライナと、
を有する、
請求項１乃至１１のいずれかに記載の飛翔体。
【請求項１３】
前記少なくとも１つの弾頭部は、前記収容体内に配置される複数の弾子を有する、
請求項１２に記載の飛翔体。
【請求項１４】
弾殻と、
前記弾殻内に収容される複数の弾頭部と、
前記複数の弾頭部を放射状に連結する線状部材と、
前記弾殻に取り付けられる時限信管と、
前記弾殻内に収容される起爆部と、
前記起爆部に連結される減速装置と、
を備え、
前記時限信管、前記複数の弾頭部、前記起爆部及び前記減速装置は、前記弾殻の前方から順に配置されている、
飛翔体。
【請求項１５】
高速旋回しながら飛翔する飛翔体の展開方法であって、
複数の弾頭部と、前記複数の弾頭部と導爆線によって連結された起爆部とを収容する弾殻を、複数の弾殻小片に分離させる工程と、
前記複数の弾頭部と前記複数の弾殻小片とを連結する線状部材を放射状に広げる工程と、
を備える飛翔体の展開方法。